(57)【特許請求の範囲】
【請求項１】
過去にセルフタイマーを利用して撮影をした撮影者の画像情報を保存する撮影者情報保存部と、
前記撮影者情報保存部に保存されていない撮影者によってセルフタイマーを利用した撮影が行われた場合、前記セルフタイマーの起動中に加わった人物を検出し、当該検出した人物の画像情報を前記撮影者情報保存部へ登録する画像検出部と、を備えるカメラ装置。
【請求項２】
前記画像検出部は、
前記セルフタイマーの起動中に予め定められた数以下の前記加わった人物を検出した場合、当該検出した人物の画像情報を前記撮影者情報保存部へ登録し、前記セルフタイマーの起動中に予め定められた数よりも多くの前記加わった人物を検出した場合、前記検出した画像情報を前記撮影者情報保存部へ登録しない、請求項１記載のカメラ装置。
【請求項３】
前記画像検出部は、
前記セルフタイマーの起動中に加わった人物であって、撮影時に静止している前記人物の画像情報を前記撮影者情報保存部へ登録する、請求項１又は２記載のカメラ装置。
【請求項４】
前記撮影者情報保存部に保存されている画像情報を表示する撮影者選択画面を表示部に表示させる表示制御部をさらに備え、
前記撮影者選択画面に表示された画像情報が選択された場合、前記選択された画像情報と実質的に同一の画像情報が前記画像検出部によって検出されるとセルフタイマーが起動される、請求項１乃至３のいずれか１項に記載のカメラ装置。
【請求項５】
新規登録領域が示された新規登録画面を表示部に表示させる表示制御部をさらに備え、
前記画像検出部は、
前記新規登録画面の新規登録領域が選択された場合に、セルフタイマーを起動中に加わった人物を検出し、当該検出した人物の画像情報を前記撮影者情報保存部へ登録する、請求項１乃至４のいずれか１項に記載のカメラ装置。
【請求項６】
前記撮影者情報保存部に保存されている撮影者によってセルフタイマーを利用した撮影が行われる場合、前記撮影者情報保存部に登録されている当該撮影者の画像情報と実質的に同一の画像情報が前記画像検出部によって検出されるとセルフタイマーを起動し、前記撮影者情報保存部に保存されていない撮影者によってセルフタイマーを利用した撮影が行われる場合、当該撮影者の撮影操作に応じてセルフタイマーを起動するセルフタイマー起動部をさらに備える請求項１乃至５のいずれか１項に記載のカメラ装置。
【請求項７】
前記撮影者情報保存部は、前記過去にセルフタイマーを利用して撮影をした撮影者の顔情報を保存し、
前記画像検出部は、前記加わった人物の顔情報を検出する、請求項１乃至６のいずれか１項に記載のカメラ装置。
【請求項８】
セルフタイマーを起動するステップと、
過去にセルフタイマーを利用して撮影をしたことのない撮影者によってセルフタイマーを利用した撮影が行われた場合、前記セルフタイマーの起動中に加わった人物を検出するステップと、
前記検出された人物の画像情報を前記セルフタイマーを利用して撮影をする撮影者と判定するステップと、を備える撮影者判定方法。
【請求項９】
セルフタイマーを起動するステップと、
過去にセルフタイマーを利用して撮影をしたことのない撮影者によってセルフタイマーを利用した撮影が行われた場合、前記セルフタイマーの起動中に加わった人物を検出するステップと、
前記検出された人物の画像情報を撮影者情報保存部へ保存するステップと、を備える撮影者登録方法。
【請求項１０】
セルフタイマーの起動を検出するステップと、
過去にセルフタイマーを利用して撮影をしたことのない撮影者によってセルフタイマーを利用した撮影が行われた場合、前記セルフタイマーの起動中に加わった人物を検出するステップと、
前記検出された人物の画像情報を撮影者情報保存部へ保存するステップと、をコンピュータに実行させる制御プログラム。
【発明の詳細な説明】
【技術分野】
【０００１】
本発明はカメラ装置、撮影者判定方法、撮影者登録方法及び制御プログラムに関し、特にセルフタイマー機能を備えるカメラ装置、そのカメラ装置のセルフタイマー機能を用いた撮影者の撮影者判定方法、そのカメラ装置のセルフタイマー機能を用いた撮影者の撮影者登録方法及びそのカメラ装置において用いられる制御プログラムに関する。
【背景技術】
【０００２】
カメラを用いて撮影を行う際に、撮影者も撮影写真に含まれるようにするために、セルフタイマーが用いられる。セルフタイマーとは、撮影者がシャッターを押下した後、所定の時間経過後に実際に撮影が実行されるようにする機能である。セルフタイマーを用いる場合、撮影者も撮影写真に含まれるようにするために、撮影者は、シャッターを押下した後、所定の位置まで移動する必要がある。このような場合、撮影者が所定の位置まで移動する前に、撮影が行われてしまうということがある。このような事象を防止するために、シャッターが押下された後、実際に撮影が実行されるまでの時間を長く設定することが考えられる。しかし、撮影者以外の者にとっては、同じ姿勢を長時間保つ必要があるため、セルフタイマーの時間を長く設定することは撮影者以外の者にとって負担となる。
【０００３】
そこで、特許文献１には、被写体の顔の位置を検出し、顔の動きがなく静止したと判定した場合に、撮影動作を行う電子カメラが開示されている。また、被写体の顔が増加したと判定された場合に、撮影動作を行う電子カメラについても開示されている。
【０００４】
しかし、特許文献１に開示されている電子カメラは、観光地等、周囲に沢山の人がいる場所では、被写体ではない周囲の人物の顔が誤認識されてしまい、セルフタイマーが作動してしまうという問題がある。
【０００５】
そこで、特許文献２には、予め記憶している特定人物を認識した場合に、セルフタイマーを作動させるデジタルカメラが開示されている。
【０００６】
しかし、特許文献２に開示されているデジタルカメラには、ファインダー内に予め登録されている顔情報が複数存在している。そのため、撮影者がファインダー内に入る前に別の登録済みの被写体の顔がファインダー内に存在することにより、その顔を認識しセルフタイマーが作動してしまう場合がある。
【０００７】
そこで、特許文献３には、顔検出手段において検出した抽出顔データと予め登録されている撮影者の登録顔データとを比較して、顔検出手段において、撮影者を検出することができたと判定した場合、セルフタイマーのカウントダウンを実行する撮像装置が開示されている。
【先行技術文献】
【特許文献】
【０００８】
【特許文献１】特開２００６−５６６２号公報
【特許文献２】特開２００８−２５６８７８号公報
【特許文献３】特開２００９−０８１５４３号公報
【発明の概要】
【発明が解決しようとする課題】
【０００９】
特許文献３における撮像装置は、撮像装置を利用する可能性がある撮影者の顔画像を予め登録しておく必要がある。撮影者の顔画像を予め登録する場合、撮影者の顔を撮影し、その撮影された顔を撮像装置内のメモリ等に登録する必要がある。しかし、デジタルカメラ等の撮像装置を用いて撮影をする場合に、一般的にセルフタイマーは、頻繁に使用される機能ではない。そのため、セルフタイマーの利用にあたり、事前に撮影者の顔又は撮影者を識別する画像を撮影し、その撮影された画像情報を登録することは、撮像装置の利用者に煩わしさを感じさせるという問題がある。
【００１０】
本発明は、このような問題を解決するためになされたものであり、簡易な操作によりセルフタイマーを利用する撮影者の画像情報を登録することができるカメラ装置、撮影者判定方法、撮影者登録方法及び制御プログラムを提供することを目的とする。
【課題を解決するための手段】
【００１１】
本発明の第１の態様にかかるカメラ装置は、過去にセルフタイマーを利用して撮影をした撮影者の画像情報を保存する撮影者情報保存部と、前記撮影者情報保存部に保存されていない撮影者によってセルフタイマーを利用した撮影が行われた場合、前記セルフタイマーの起動中に加わった人物を検出し、当該検出した人物の画像情報を前記撮影者情報保存部へ登録する画像検出部と、を備えるものである。
【００１２】
本発明の第２の態様にかかる撮影者判定方法は、セルフタイマーを起動するステップと、過去にセルフタイマーを利用して撮影をしたことのない撮影者によってセルフタイマーを利用した撮影が行われた場合、前記セルフタイマーの起動中に加わった人物を検出するステップと、前記検出された人物の画像情報を前記セルフタイマーを利用して撮影をする撮影者と判定するステップと、を備えるものである。
【００１３】
本発明の第３の態様にかかる撮影者登録方法は、セルフタイマーを起動するステップと、過去にセルフタイマーを利用して撮影をしたことのない撮影者によってセルフタイマーを利用した撮影が行われた場合、前記セルフタイマーの起動中に加わった人物を検出するステップと、前記検出された人物の画像情報を撮影者情報保存部へ保存するステップと、を備えるものである。
【００１４】
本発明の第４の態様にかかる制御プログラムは、セルフタイマーの起動を検出するステップと、過去にセルフタイマーを利用して撮影をしたことのない撮影者によってセルフタイマーを利用した撮影が行われた場合、前記セルフタイマーの起動中に加わった人物を検出するステップと、前記検出された人物の画像情報を撮影者情報保存部へ保存するステップと、をコンピュータに実行させるものである。
【発明の効果】
【００１５】
本発明により、簡易な操作を用いてセルフタイマーを利用する撮影者の画像情報を登録することができるカメラ装置、撮影者判定方法、撮影者登録方法及び制御プログラムを提供することができる。
【図面の簡単な説明】
【００１６】
【図１】実施の形態１にかかるカメラ装置の構成図である。
【図２】実施の形態１にかかるカメラ付き携帯電話端末の構成図である。
【図３】実施の形態１にかかる撮影者選択画面の図である。
【図４】実施の形態１にかかるカメラ付き携帯電話端末のセルフタイマー機能を用いた撮影のフローチャートである。
【図５】実施の形態１にかかるカメラ付き携帯電話端末のセルフタイマー機能を用いた撮影動作の図である。
【図６】実施の形態１にかかるカメラ付き携帯電話端末のセルフタイマー機能を用いた撮影動作の図である。
【図７】実施の形態１にかかるカメラ付き携帯電話端末のセルフタイマー機能を用いた撮影動作の図である。
【図８】実施の形態１にかかるカメラ付き携帯電話端末のセルフタイマー機能を用いた撮影動作の図である。
【図９】実施の形態１にかかるカメラ付き携帯電話端末のセルフタイマー機能を用いた撮影動作の図である。
【図１０】実施の形態１にかかるカメラ付き携帯電話端末のセルフタイマー機能を用いた撮影動作の図である。
【図１１】実施の形態１にかかるカメラ付き携帯電話端末のセルフタイマー機能を用いた撮影動作の図である。
【図１２】実施の形態１にかかるカメラ付き携帯電話端末のセルフタイマー機能を用いた撮影動作の図である。
【発明を実施するための形態】
【００１７】
（実施の形態１）
以下、図面を参照して本発明の実施の形態について説明する。図１を用いて本発明の実施の形態１にかかるカメラ装置の構成例について説明する。カメラ装置１０は、画像検出部１１と、撮影者情報保存部１２とを備えている。カメラ装置１０は、カメラ機能のみを備えた装置でもよく、カメラ機能を搭載した例えばカメラ付き携帯電話装置等であってもよい。
【００１８】
撮影者情報保存部１１は、過去にセルフタイマーを利用して撮影をした撮影者の画像情報を保存する。画像情報とは、撮影者を識別することができる情報である。たとえば、画像情報は、撮影者の顔情報又はその他体の部位に関する情報等であってもよい。もしくは、画像情報とは、撮影者が着用している衣服等の情報であってもよい。また、撮影者情報保存部１１は、カメラ装置内のメモリにより構成される。メモリには、例えばＲＡＭまたはＲＯＭ等が用いられる。もしくは、撮影者情報保存部１１は、カメラ装置に外付けされる外部記憶メモリ等であってもよい。
【００１９】
画像検出部１２は、撮影者情報保存部１１に保存されていない撮影者によってセルフタイマーを利用した撮影が行われた場合、セルフタイマーの起動中に加わった人物を検出し、当該検出した人物の画像情報を前記撮影者情報保存部へ登録する。セルフタイマーの起動中とは、例えば、撮影者の操作により、セルフタイマーが起動されてから、撮影が実行されるまでの期間である。セルフタイマーを利用した撮影においては、セルフタイマーの起動とともにカウントダウンが開始され、カウントダウンが完了するとともに撮影が実行される。セルフタイマーの起動中に加わった人物とは、例えば、セルフタイマーの起動中にカメラのファインダー内に新たに加わった人物である。
【００２０】
以上説明したように、図１にかかるカメラ装置１０を用いることにより、セルフタイマーの起動中に加わった人物を撮影者と推定し、一連の撮影動作において自動的に撮影者を撮影者情報保存部１１に保存することができる。これにより、撮影者を撮影者情報保存部１１に登録するためにのみ、撮影者を撮影する必要がなくなる。
【００２１】
続いて、図２を用いて本発明の実施の形態１にかかるカメラ付き携帯電話端末の構成例について説明する。図２においては、カメラ付き携帯電話端末の構成例について説明するが、カメラ機能が搭載されたスマートフォン端末等も同様の構成を用いて実現することができる。
【００２２】
カメラ付き携帯電話端末２０は、撮影者情報保存部１１と、画像検出部１２と、レンズ１３と、撮像部１４と、セルフタイマー起動部１５と、表示制御部１６と、表示部１７と、メモリ２１と、通信部２２とを備えている。
【００２３】
撮像部１４は、レンズ１３を介して取得した撮影画像を画像検出部１２及びメモリ２１へ出力する。メモリ２１へ蓄積された撮影画像は、通信部２２を介して他の通信装置等へ送信することができる。
【００２４】
表示制御部１６は、撮影者情報保存部１１に保存されている画像情報を表示する撮影者選択画面を表示部１７に表示させる。図３を用いて、撮影者選択画面について説明する。図３における撮影者選択画面は、過去にセルフタイマー機能を利用して撮影を行った３名の撮影者の画像情報が表示されている。セルフタイマー機能を利用して撮影を行う者が、撮影者選択画面に表示されている３名のいずれかに該当する場合、該当する者を選択する。過去にカメラ付き携帯電話端末２０のセルフタイマー機能を利用して撮影を行ったことがない者が撮影を行う場合、その者の画像情報は、撮影者選択画面に表示されない。その場合、撮影者は、「新規」と表示されている領域を選択する。
【００２５】
尚、図３の撮影者選択画面には、撮影者の顔を表示している例について説明したが、撮影者の名前を表示する等、表示内容を変更することは可能である。また、図３の撮影者選択画面には、撮影者の画像情報と、新規領域とを同時に表示する例について示したが、撮影者の画像情報と、新規領域とを別々の画面に表示させてもよい。
【００２６】
図２に戻り、表示制御部１６は、撮影者によって選択された画像情報又は新規領域情報を、画像検出部１２及びセルフタイマー起動部１５へ出力する。もしくは、画像検出部１２及びセルフタイマー起動部１５は、撮影者による撮影者選択画面の操作情報を、カメラ付き携帯電話端末２０内の他の制御部等から受け取ってもよい。
【００２７】
画像検出部１２は、表示制御部１６から撮影者によって選択された画像情報が通知された場合、撮像部１４から受け取った撮影画像を用いて、通知された画像情報の人物を検出する。画像検出部１２は、通知された画像情報の人物を検出すると、検出結果をセルフタイマー起動部１５へ出力する。また、画像検出部１２は、表示制御部１６から新規領域情報が通知された場合、撮像部１４から受け取った撮影画像を用いて、セルフタイマー起動中に加わった人物を検出する。画像検出部１２は、検出した人物の画像情報を撮影者情報保存部１１へ出力する。
【００２８】
画像検出部１２は、通知された画像情報の人物の検出を行うために、例えば顔認証技術等を用いて、画像情報として顔情報を検出する。顔認証技術を用いて、例えば、目や、鼻、口等の配置を比較することにより、同一の顔か否かを検出することができる。また、顔の輪郭を検出し、同一の顔か否かを検出することもできる。画像検出部１２における人物検出は、既知の顔認証技術や、その他の画像検出技術を用いて実現することができ、特定の方法に制限されるものではない。
【００２９】
また、画像検出部１２は、例えば次のような処理を行うことにより、加わった人物を検出することができる。画像検出部１２は、セルフタイマーが起動されてから撮影が実行されるまでの間に、所定の時間間隔おきにファインダーに映る撮影画像情報を撮像部１４から受け取る。画像検出部１２は、受け取った複数の撮影画像情報を用いて、新たに加わった人物を検出する。
【００３０】
また、画像検出部１２は、検出した人物の画像情報を撮影者情報保存部１１へ出力する際に、例えば、加わった人物が１人である場合、検出した人物の画像情報を撮影者情報保存部１１へ出力し、加わった人物が２人以上である場合には、検出した人物の画像情報を撮影者情報保存部１１へ出力しないとしてもよい。撮影者を１人と想定すると、新たに加わる人物は１人であると想定される。このような場合に、２人以上の人物が加わると、画像検出部１２は、撮影者以外の第三者も検出していることが考えられる。そのため、画像検出部１２は、加わった人物が２人以上である場合には、撮影者情報保存部１１へ画像情報を出力しない、とすることにより撮影者以外の画像情報を撮影者情報保存部１１へ登録することを防止することができ、さらに、メモリ量の増加を防止することもできる。もちろん、画像検出部１２は、加わった人物が３人以上である場合、もしくは４人以上である場合に、画像情報を出力しないとしてもよい。画像検出部１２が撮影者情報保存部１１に対して画像情報を出力する際に用いる人数情報は、カメラの操作者により予め設定されていてもよい。
【００３１】
さらに、画像検出部１２は、セルフタイマーのカウントダウン中に被写体の顔の数の増加を検出すると、該当する顔の位置を監視し、カウントダウンタイマーが０になり撮影を実行した際に、該当する顔の位置が静止していたと判断した場合、増加した顔の画像情報を撮影者情報保存部１１へ出力してもよい。例えば観光地等において、歩行中の第三者がファインダー内に入ってしまい、ファインダー内の人物が増加することが想定される。このような場合に、静止していた顔情報以外の顔情報、つまり、移動が検出された顔情報の撮影者情報保存部１１への登録を行わないことにより、第三者をセルフタイマー利用者として誤登録されてしまうことを防止することができる。ここで、画像検出部１２は、顔の位置が静止しているか否かの判断において、完全に静止している場合のみを静止していると判断するものではない。たとえば、画像検出部１２は、所定の時間内に所定の距離以下の移動が検出された場合に静止していると判断してもよい。
【００３２】
セルフタイマー起動部１５は、表示制御部１６から、撮影者によって選択された画像情報が通知された場合、画像検出部１２から、撮影者によって選択された画像と検出した画像とが一致するとの検出結果を受け取ることにより、セルフタイマーを起動する。例えば一般的なセルフタイマーにおいては、撮影者の移動時間を考慮して１０秒程度のタイマー時間を設定するところ、本発明においては、２秒程度の短時間のタイマー時間を設定すればよい。なぜなら、撮影者の移動時間を考慮する必要がないからである。これにより、被撮影者が、長い間同じ姿勢を保ったり、瞬きを我慢したりする等の必要がなくなり、被撮影者の負担が軽減される。
【００３３】
また、セルフタイマー起動部１５は、表示制御部１６から新規領域情報が通知された場合、セルフタイマーを起動する。この場合、撮影者の移動時間を考慮して、一般的な１０秒程度のタイマー時間を設定する。
【００３４】
以上説明したように、図２においては、カメラ付き携帯電話端末の構成例について説明した。しかし、カメラ機能を実現するために用いられる撮影者情報保存部１１と、画像検出部１２と、レンズ１３と、撮像部１４と、セルフタイマー起動部１５と、表示制御部１６と、表示部１７とを備えるカメラ付きゲーム端末や、カメラ付きオーティオプレーヤー等の各種端末においても本発明を実施することができる。
【００３５】
続いて、図４を用いて本発明の実施の形態１にかかるカメラ付き携帯電話端末のセルフタイマー機能を用いた処理の流れについて説明する。初めに、表示制御部１６は、撮影操作が行われたことを検出し、セルフタイマー操作がおこなわれた否かを判定する（Ｓ１０１）。セルフタイマー操作が行われたか否かは、例えば、セルフタイマー機能が呼び出され、シャッターが押下されたか否かを検出することにより判定することができる。表示制御部１６は、セルフタイマー操作が実行されていないと判定すると、再度ステップＳ１０１の処理に戻る。表示制御部１６は、セルフタイマー操作が実行されていると判定すると、撮影者選択画面を表示部１７へ表示させる（Ｓ１０２）。
【００３６】
次に、表示制御部１６は、撮影者選択画面における選択情報を受け取る（Ｓ１０３）。撮影者によって撮影者選択画面の画像情報が選択され、表示制御部１６が画像情報を取得した場合、画像検出部１２は、撮像部１４を介して、選択された画像情報と同じ人物を検出する（Ｓ１０４）。画像検出部１２は、検出した人物が、撮影者選択画面において選択された画像情報の人物と同じ人物であるか否かを顔認証等により判定する。ここで、撮影者選択画面において、画像情報を選択した撮影者は、自分も被写体となるべくファインダー内に収まるように所定の場所へ移動する。
【００３７】
次に、画像検出部１２が、ステップＳ１０４において、該当する人物を検出した場合、セルフタイマー起動部１５は、セルフタイマーのカウントダウンを開始する（Ｓ１０６）。この時、表示制御部１６が、該当する人物が検出されたことを被撮影者等に通知するために、表示部１７にランプ等を点滅させるようにしてもよい。画像検出部１２が、ステップＳ１０４において、該当する人物を検出しなかった場合、セルフタイマー起動部１５は、一定時間経過しているか否かを判定する（Ｓ１０５）。セルフタイマー起動部１５は、一定時間経過していないと判定した場合、ステップＳ１０４に戻り、該当する人物を検出する処理に戻る。セルフタイマー起動部１５は、一定時間経過していると判定した場合、セルフタイマーのカウントダウンを開始する（Ｓ１０６）。
【００３８】
次に、撮像部１４は、カウントダウンのタイマーが０であるか否かを判定する（Ｓ１０７）。撮像部１４は、カウントダウンのタイマーが０ではないと判定した場合、ステップＳ１０７の処理を繰り返す。撮像部１４は、カウントダウンのタイマーが０であると判定した場合、撮影を実行する（Ｓ１０８）。
【００３９】
次に、ステップＳ１０３において、撮影者によって撮影者選択画面の新規領域が選択され、表示制御部１６が新規領域に関する情報を受け取った場合、セルフタイマー起動部１５は、セルフタイマーのカウントダウンを開始する（Ｓ１０９）。ステップ１１０及び１１１は、ステップＳ１０７及び１０８と同一の処理を実行するため、詳細な説明を省略する。
【００４０】
次に、撮影が実行された後、画像検出部１２は、新たに追加された人物を検出したか否かを判定する（Ｓ１１２）。画像検出部１２は、セルフタイマーが起動中に、ファインダー内の人物の数が増加するか否かを監視している。画像検出部１２は、新たに追加された人物を検出した場合、撮影者情報保存部１１へ撮影者の画像情報、例えば顔情報を出力する。撮影者情報保存部１１は、受け取った画像情報を登録する（Ｓ１１３）。画像検出部１２が、新たに追加された人物を検出しなかった場合、処理を終了する。
【００４１】
続いて、図５乃至図８を用いて、本発明の実施の形態１にかかるカメラ付き携帯電話端末のセルフタイマー機能を用いた撮影動作の一例について説明する。
【００４２】
図５は、撮影対象となる被写体Ｂ及びＤがファインダー枠内に表示され、通りすがりの人物Ｃがファインダー枠外を歩行中であることを示している。この時点において、撮影者Ａは、撮影者選択画面において撮影者Ａを選択し、セルフタイマーモードを開始する。
【００４３】
次に、図６及び図７は、撮影者Ａが撮影場所へ移動中に、通りすがりの人物であるＣの顔がファインダー枠内に表示されていることを示している。この時、画像検出部１２は、Ｃの顔が、撮影者選択画面において選択された撮影者Ａの顔とは異なると判定する。そのため、セルフタイマー起動部１５は、セルフタイマーのカウントダウンを開始しない。
【００４４】
次に、図８は、撮影者Ａが、撮影場所へ移動を完了し、ファインダー枠内に顔が表示されていることを示している。この時、画像検出部１２は、ファインダー枠内に追加されたＡの顔が、撮影者選択画面において選択された撮影者Ａの顔と一致すると判定する。そのため、セルフタイマー起動部１５は、セルフタイマーのカウントダウンを開始する。その後、カウントダウンタイマーが０になると撮影が実行される。
【００４５】
続いて、図９乃至図１２を用いて、本発明の実施の形態１にかかるカメラ付き携帯電話端末のセルフタイマー機能を用いた撮影動作の異なる例について説明する。
【００４６】
図９は、撮影対象となる被写体Ｂ及びＤがファインダー枠内に表示されていることを示している。この時点において、撮影者Ａは、撮影者選択画面において撮影者Ａを選択し、セルフタイマーモードを開始する。また、被写体Ｂも、過去に同じカメラ付き携帯電話端末のセルフタイマー機能を用いて撮影を実行したことがあるものとして、撮影者情報保存部１１に画像情報が登録されている。
【００４７】
図１０及び図１１は、撮影者Ａが撮影場所へ移動中であることを示している。この時、被写体Ｂの顔が検出されるが、画像検出部１２は、被写体Ｂの顔が、撮影者選択画面において選択された撮影者Ａの顔とは異なると判定する。そのため、セルフタイマー起動部１５は、セルフタイマーのカウントダウンを開始しない。
【００４８】
次に、図１２は、撮影者Ａが、撮影場所へ移動を完了し、ファインダー枠内に顔が表示されていることを示している。この時、画像検出部１２は、ファインダー枠内に追加されたＡの顔が、撮影者選択画面において選択された撮影者Ａの顔と一致すると判定する。そのため、セルフタイマー起動部１５は、セルフタイマーのカウントダウンを開始する。その後、カウントダウンタイマーが０になると撮影が実行される。
【００４９】
以上説明したように、本発明の実施の形態１にかかるカメラ装置もしくはカメラ付き携帯電話端末を用いることにより、撮影者情報保存部１１へ新たな撮影者を登録する際に、簡易な操作により登録することができる。また、撮影者情報保存部１１へ撮影者を登録する際に、画像検出部１２が検出した人物の人数や、撮影時に検出した人物が静止しているか否かを判定し、撮影者情報保存部１１へ検出した人物の登録を行うことにより、セルフタイマーの利用者として誤登録されてしまうことを防止することができる。
【００５０】
上述の実施の形態では、本発明をハードウェアの構成として説明したが、本発明は、これに限定されるものではない。本発明は、図４において説明した処理を、ＣＰＵ（Central Processing Unit）にコンピュータプログラムを実行させることにより実現することも可能である。
【００５１】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００５２】
なお、本発明は上記実施の形態に限られたものではなく、趣旨を逸脱しない範囲で適宜変更することが可能である。
【符号の説明】
【００５３】
１０  カメラ装置
１１  撮影者情報保存部
１２  画像検出部
１３  レンズ
１４  撮像部
１５  セルフタイマー起動部
１６  表示制御部
１７  表示部
２０  カメラ付き携帯電話端末
２１  メモリ
２２  通信部
【図１】
0005535854.tif 000002
【図２】
0005535854.tif 000003
【図３】
0005535854.tif 000004
【図４】
0005535854.tif 000005
【図５】
0005535854.tif 000006
【図６】
0005535854.tif 000007
【図７】
0005535854.tif 000008
【図８】
0005535854.tif 000009
【図９】
0005535854.tif 000010
【図１０】
0005535854.tif 000011
【図１１】
0005535854.tif 000012
【図１２】
0005535854.tif 000013